(57)【要約】【課題】任意の表示媒体を着脱しても、それぞれの表示媒体に対して常に最適な画像を表示させる。【解決手段】制御部は、着脱センサの検出結果に基づいて、電子ペーパのいずれかが抜き取られたことを検知すると（ステップＳＴ１）、メモリから画像を読み出して、トップページである電子ペーパの画像の書き換えを行う（ステップＳＴ２）。そして、次のページがあるときは（ステップＳＴ３）、次のページの画像を書き換えて（ステップＳＴ４）、ステップＳＴ３に戻る。なお、次のページがないときは、書換処理を終了する。【選択図】        図３
2004240238.tif 000002
【特許請求の範囲】
【請求項１】
複数の表示媒体をそれぞれ着脱可能に接続する接続手段と、
前記各表示媒体と前記接続手段との接続状態を検出する検出手段と、
前記表示媒体の少なくとも１つと前記接続手段との接続状態の変化が前記検出手段により検出されたときに、検出された接続状態に応じて、前記接続手段に接続されている表示媒体に表示された画像の少なくとも一部の書き換えを制御する書換制御手段と、
を有することを特徴とする表示制御装置。
【請求項２】
前記書換制御手段は、前記検出手段により接続状態の変化が検出されたときに、少なくとも１つの表示媒体に表示された画像を異なる画像に書き換えること
を特徴とする請求項１に記載の表示制御装置。
【請求項３】
前記書換制御手段は、前記検出手段により新たな表示媒体が前記接続手段に接続されたことを検出されたときに、少なくとも１つの表示媒体に表示された画像の少なくとも一部を、前記新たな表示媒体に書き換えること
を特徴とする請求項１に記載の表示制御装置。
【請求項４】
前記接続手段は、一の表示媒体を隣り合う一方の表示媒体の表示面を覆うように重ね、いずれかの方向に前記一の表示媒体がめくられたときに他の表示媒体の表示面が現れるように接続すること
を特徴とする請求項１から請求項３のいずれか１項に記載の表示制御装置。
【請求項５】
前記書換制御手段は、前記検出手段により新たな表示媒体と前記接続手段との接続が検出されたときに、前記新たな表示媒体と当該新たな表示媒体に表示面が向いている表示媒体とに対して画像を書き込むこと
を特徴とする請求項４に記載の表示制御装置。
【請求項６】
前記接続手段は、少なくとも２つ以上の表示媒体を見開き状態で接続すること
を特徴とする請求項１に記載の表示制御装置。
【請求項７】
前記書込制御手段は、前記検出手段により接続状態の変化が検出された後に前記接続手段に接続されている表示媒体に対して、画像の少なくとも一部の倍率を変更して書き換えること
を特徴とする請求項６に記載の表示制御装置。
【請求項８】
前記書込制御手段は、前記接続手段に接続されている表示媒体の表示可能領域に応じて、画像の倍率を変更して書き換えること
を特徴とする請求項７に記載の表示制御装置。
【請求項９】
前記書込制御手段は、前記検出手段により接続状態の変化が検出された後に前記接続手段に接続されている表示媒体に対して、画像の表示位置を変更して書き換えること
を特徴とする請求項６に記載の表示制御装置。
【請求項１０】
前記書込制御手段は、前記接続手段に接続されている表示媒体の表示可能領域に応じて、画像の表示位置を変更して書き換えること
を特徴とする請求項９に記載の表示制御装置。
【請求項１１】
前記書換制御手段は、前記接続手段に接続されている表示媒体の表示順に前記画像の内容が連続的になるように、各表示媒体の画像を書き換えること
を特徴とする請求項１に記載の表示制御装置。
【請求項１２】
複数の表示媒体と、
前記複数の表示媒体をそれぞれ着脱可能に接続する接続手段と、前記各表示媒体と前記接続手段との接続状態を検出する検出手段と、前記表示媒体の少なくとも１つと前記接続手段との接続状態の変化が前記検出手段により検出されたときに、検出された接続状態に応じて、前記接続手段に接続されている表示媒体に表示された画像の少なくとも一部の書き換えを制御する書換制御手段と、を備えた表示制御装置と、
を有することを特徴とする画像表示装置。
【請求項１３】
複数の表示媒体と、前記複数の表示媒体をそれぞれ着脱可能に接続する接続手段と、前記各表示媒体と前記接続手段との接続状態を検出する検出手段と、前記表示媒体の少なくとも１つと前記接続手段との接続状態の変化が前記検出手段により検出されたときに、検出された接続状態に応じて、前記接続手段に接続されている表示媒体に表示された画像の少なくとも一部の書き換えを制御する書換制御手段と、を備えた画像表示装置と、
前記画像表示装置の表示制御装置に対して、画像の送信及び前記画像の書込指示を行う主制御装置と、
を有することを特徴とする画像表示システム。
【発明の詳細な説明】
【０００１】
【発明の属する技術分野】
本発明は、表示制御装置、画像表示装置及び画像表示システムに係り、特に、いわゆる電子ブックに用いて好適な表示制御装置、画像表示装置及び画像表示システムに関する。
【０００２】
【従来の技術】
情報化社会の発展に伴い、ＬＣＤ（ｌｉｑｕｉｄ  ｃｒｙｓｔａｌ  ｄｉｓｐｌａｙ）等の表示媒体の性能が飛躍的に向上している。しかし、この表示媒体は、読みやすさ・使いやすさの点でいえば、古くから情報媒体として使用されている”紙”に劣ってしまう。そこで今日では、紙様のフレキシブルな表示媒体として、いわゆる”電子ペーパ”という新しい概念が提案されている。
【０００３】
更に、近年では、複数の電子ペーパを本様にした電子ペーパファイルが提案されている（例えば、特許文献１参照。）。特許文献１に記載された電子ペーパファイルは、本体と表示媒体を着脱可能とすることにより、ルーズリーフ式の紙製の本と同様に、所望のページ（所望の表示媒体）のみを取り外して持ち運べるようになっている。
【０００４】
【特許文献１】
特開２００１−３１２２２７号公報
【０００５】
【発明が解決しようとする課題】
文学作品や雑誌等の一般的な書籍はそれぞれページ数が異なっている。このため、一般的な書籍の内容を電子ファイルに表示させると、書籍ページ数と表示媒体の枚数とが一致しないことが多い。この場合、電子ファイルに別の表示媒体を挿入させる必要がある。しかし、電子ファイルに新たに表示媒体を挿入すると、電子ファイルのページが入れ替わってしまうという問題があった。
【０００６】
また、電子ファイルは、本体から所望の表示媒体が取り外された場合、取り外された表示媒体に対応するページが欠落してしまう問題もあった。さらに、電子ファイルの最終ページ（最後の表示媒体）まで読んでも、さらに書籍のページがある場合、簡単な操作で電子ファイルの内容を書き換えることができない問題もあった。
【０００７】
本発明は、上述した課題を解決するために提案されたものであり、任意の表示媒体を着脱しても、それぞれの表示媒体に対して常に最適な画像を表示させることができる表示制御装置、画像表示装置及び画像表示システムを提供することを目的とする。
【０００８】
【課題を解決するための手段】
本発明に係る表示制御装置は、複数の表示媒体をそれぞれ着脱可能に接続する接続手段と、前記各表示媒体と前記接続手段との接続状態を検出する検出手段と、前記表示媒体の少なくとも１つと前記接続手段との接続状態の変化が前記検出手段により検出されたときに、検出された接続状態に応じて、前記接続手段に接続されている表示媒体に表示された画像の少なくとも一部の書き換えを制御する書換制御手段と、を有することを特徴とする。
【０００９】
本発明に係る画像表示装置は、複数の表示媒体と、前記複数の表示媒体をそれぞれ着脱可能に接続する接続手段と、前記各表示媒体と前記接続手段との接続状態を検出する検出手段と、前記表示媒体の少なくとも１つと前記接続手段との接続状態の変化が前記検出手段により検出されたときに、検出された接続状態に応じて、前記接続手段に接続されている表示媒体に表示された画像の少なくとも一部の書き換えを制御する書換制御手段と、を備えた表示制御装置と、を有することを特徴とする。
【００１０】
本発明に係る画像表示システムは、複数の表示媒体と、前記複数の表示媒体をそれぞれ着脱可能に接続する接続手段と、前記各表示媒体と前記接続手段との接続状態を検出する検出手段と、前記表示媒体の少なくとも１つと前記接続手段との接続状態の変化が前記検出手段により検出されたときに、検出された接続状態に応じて、前記接続手段に接続されている表示媒体に表示された画像の少なくとも一部の書き換えを制御する書換制御手段と、を備えた画像表示装置と、前記画像表示装置の表示制御装置に対して、画像の送信及び前記画像の書込指示を行う主制御装置と、を有することを特徴とする。
【００１１】
接続手段は、複数の表示媒体をそれぞれ着脱可能に接続することができれば、１つでもよいし、複数であってもよい。例えば、１つの表示媒体だけを接続する１つの接続手段があってもよいし、複数の表示媒体を同時に接続する１つの接続手段があってもよい。
【００１２】
検出手段は、前記各表示媒体と前記接続手段との接続状態を検出する。接続状態とは、例えば、それぞれの接続位置において表示媒体が接続されているか否かの状態が該当する。なお、接続状態の検出方法は、特に限定されず、例えば、機械的又は電気的な接続状態を監視したり、光センサを用いて光学的に接続状態を監視してもよい。また、接続位置については、表示媒体を接続した位置を検出する位置検出手段を用いて検出してもよい。
【００１３】
書換制御手段は、接続状態の変化があったときに、現在接続手段に接続されている表示媒体に対して、全部又は一部の画像の書換を制御する。ここで、接続状態の変化とは、例えば、接続手段から表示媒体が抜き取られた場合や、接続手段に表示媒体が挿入された場合が該当する。そして、書換制御手段は、検出された接続状態に応じて、接続手段に接続されている表示媒体に表示された画像の少なくとも一部を書き換える。
【００１４】
したがって、本発明に係る表示制御装置、画像表示装置及び画像表示システムによれば、表示媒体の少なくとも１つと接続手段との接続状態の変化が検出されたときに、検出された接続状態に応じて、接続手段に接続されている表示媒体に表示された画像の少なくとも一部の書き換えを制御することにより、任意の表示媒体が着脱された場合でも、装着されている表示媒体に最適な画像を表示させることができる。
【００１５】
【発明の実施の形態】
以下、本発明の好ましい実施の形態について図面を参照しながら詳細に説明する。
【００１６】
［第１の実施形態］
図１は、本発明の第１の実施形態に係る電子ブックシステム１を示す図である。なお、第１の実施形態に係る電子ブックシステム１では、紙媒体状の表示媒体（以下「電子ペーパ」という。）の一面のみに画像を表示する場合を例に挙げて説明するが、両面に画像を表示してもよいのは勿論である。
【００１７】
電子ブックシステム１は、例えば所定のアプリケーションプログラムがインストールされたパーソナルコンピュータで構成されたホストコンピュータ１０と、外観上書籍のように構成された電子ブック２０と、を備えている。
【００１８】
電子ブック２０は、書籍の背表紙状に構成された書込装置３０と、紙媒体状に構成された複数の電子ペーパ４０と、を備えている。書込装置３０は、各電子ペーパ４０をそれぞれ保持すると共に、各電子ペーパ４０に画像を書き込む制御を行う。
【００１９】
ここで、画像とは、単にイメージデータによって現れた画像に限らず、テキストデータによって現れた文字画像も含む。また図１では、４枚の電子ペーパ４０を例示したが、電子ペーパ４０の枚数は特に限定されるものではない。なお、本実施形態では、図１の紙面上向き最上部の電子ペーパ４０をトップページとし、トップページから紙面下向きの順に第２ページ、第３ページ、…とする。
【００２０】
図２は、電子ブックシステム１の機能的な構成を示すブロック図である。
【００２１】
書込装置３０は、ホストコンピュータ１０から送信された画像を記憶するメモリ３１と、電子ペーパ４０を書込装置３０に接続させるための本体接続部３２と、電子ペーパ４０（本体接続部３２）と電子ペーパ４０との接続状態を検出する着脱センサ３３と、ホストコンピュータ１０の指示に従って電子ペーパ４０に画像を書き込む制御を行う制御部３４と、を備えている。
【００２２】
本体接続部３２は、書込装置３０と電子ペーパ４０とを電気的に接続させると共に、電子ペーパ４０をめくることができる状態で保持するものである。本体接続部３２は、一の電子ペーパ４０を他の電子ペーパ４０の表示面上に重ねて保持すると共に、いずれかの方向に電子ペーパ４０がめくられたときに隣接する電子ペーパ４０の表示面が現れるように、各々の電子ペーパ４０を保持している。
【００２３】
着脱センサ３３は、書込装置３０（本体接続部３２）と電子ペーパ４０とが接続されているか否かの接続状態を検出し、検出結果を制御部３４に供給する。なお、着脱センサ３３は、電子ペーパ４０が書込装置３０に電気的に又は機械的に接続されているか否かの接続状態を検出してもよい。すなわち、接続状態の検出方法は特に限定されるものではない。
【００２４】
制御部３４は、ホストコンピュータ１０から送信された画像データをメモリ３１に一時記憶させ、ホストコンピュータ１０の指示に従ってメモリ３１に記憶されている画像データを読み出して、各電子ペーパ４０に書き込む制御を行う。
【００２５】
電子ペーパ４０は、画像を表示する表示部４１と、制御部３４の制御に従って表示部４１を駆動させるドライバ４２と、を備えている。
【００２６】
以上のように構成された電子ブックシステム１において、最初に、ホストコンピュータ１０は、書籍の全ページの画像を電子ブック２０に送信する。電子ブック２０の書込装置３０は、ホストコンピュータ１０から送信された各ページの画像を各々の電子ペーパ４０に書き込む処理を行う。そして、ユーザは、ホストコンピュータ１０と電子ブック２０とを切り離して、電子ブック２０のみを所持して、電子ブック２０を読むことができる。
【００２７】
さらに、電子ブック２０は、電子ペーパ４０の抜き取りや挿入が行われると、電子ペーパ４０に表示された画像の全部又は一部を書き換える処理を実行する。
【００２８】
（電子ペーパ４０の抜き取り）
図３は、電子ペーパ４０を抜き取ったときの書込装置３０の制御部３４の動作手順を示すフローチャートである。図４は、電子ブック２０から電子ペーパ４０を抜き取る様子を示す図である。ここでは図４（Ａ）に示すように、電子ペーパ４０が４枚ある場合を例にして説明する。
【００２９】
ステップＳＴ１では、制御部３４は、着脱センサ３３の検出結果に基づいて、電子ペーパ４０のいずれかが抜き取られたか否かを検知する。そして、制御部３４は、電子ペーパ４０のいずれかが抜き取られたことを検知すると、ステップＳＴ２に移行する。本実施形態では、図４（Ｂ）に示すように、第２ページの電子ペーパ４０が抜き取られたものとする。
【００３０】
ステップＳＴ２では、制御部３４は、メモリ３１から画像を読み出して、トップページである電子ペーパ４０の画像の書き換えを行って、ステップＳＴ３に移行する。
【００３１】
ステップＳＴ３では、制御部３４は、次のページがあるか否か、つまり抜き取られていない電子ペーパ４０があるか否かを判定する。そして、次のページがあるときはステップＳＴ４に移行し、次のページがないときはページの書き換えを終了する。
【００３２】
ステップＳＴ４では、制御部３４は、次のページを書き換えて、ステップＳＴ３に戻る。この結果、第２ページの電子ペーパ４０が抜き取られた後、図４（Ｃ）に示すように、第３、第４ページの電子ペーパ４０には、第２、第３ページの画像が表示される。
【００３３】
以上のように、制御部３４は、電子ペーパ４０が抜き取られた場合であっても、ステップＳＴ１からステップＳＴ４までの処理を繰り返すことにより、抜き取られていない電子ペーパ４０の画像を現在のページ順に書き換えることができる。
【００３４】
なお、ここでは、制御部３４は、すべての電子ペーパ４０の書換を行ったが、抜き取られた電子ペーパ４０の位置を検知し、抜き取られた電子ペーパ４０のページ以降のみを書き換えてもよい。また、第２ページの電子ペーパ４０が抜き取られた場合を説明したが、任意のページの電子ペーパ４０が抜き取られた場合でも同様に、制御部３４は制御可能である。
【００３５】
（電子ペーパ４０の挿入）
図５は、新たに電子ペーパ４０を挿入する際の書込装置３０の制御部３４の動作手順を示すフローチャートである。図６は、電子ブック２０に電子ペーパ４０を挿入する様子を示す図である。ここでは図６（Ａ）に示すように、電子ペーパ４０が４枚あり、５枚目の電子ペーパ４０を任意の位置に挿入する場合を例に挙げて説明する。
【００３６】
ステップＳＴ１１では、制御部３４は、着脱センサ３３の検出結果に基づいて、電子ペーパ４０が挿入されたか否かを検知する。そして、制御部３４は、電子ペーパ４０が挿入されたことを検知すると、ステップＳＴ１２に移行する。本実施形態では、図６（Ｂ）に示すように、第２、第３ページの間に、新たに電子ペーパ４０が挿入されたものとする。
【００３７】
ステップＳＴ１２では、制御部３４は、メモリ３１から画像を読み出し、トップページである電子ペーパ４０の画像の書き換えを行って、ステップＳＴ１３に移行する。
【００３８】
ステップＳＴ１３では、制御部３４は、次のページがあるか否か、つまり画像の書換対象となる電子ペーパ４０があるか否かを判定する。そして、次のページがあるときはステップＳＴ１４に移行し、次のページがないときはページの書き換えを終了する。
【００３９】
ステップＳＴ１４では、制御部３４は、次のページを書き換えて、ステップＳＴ１３に戻る。この結果、新たな電子ペーパ４０が挿入された場合であっても、図６（Ｃ）に示すように、各電子ペーパ４０には、ページ順に画像が表示される。
【００４０】
以上のように、制御部３４は、新たに電子ペーパ４０が挿入された場合であっても、ステップＳＴ１１からステップＳＴ１４までの処理を繰り返すことにより、現在の電子ペーパ４０のページ順に従って画像を書き換えることができる。
【００４１】
なお、ここでは、制御部３４は、すべての電子ペーパ４０の書換を行ったが、挿入された電子ペーパ４０の位置を検知し、挿入された電子ペーパ４０を含むページ以降のみを書き換えてもよい。また、制御部３４は、任意のページに電子ペーパ４０が挿入された場合でも同様に処理を実行することができる。
【００４２】
（電子ペーパ４０の入れ替え）
図７は、電子ペーパ４０を任意の位置に入れ替える際の書込装置３０の制御部３４の動作手順を示すフローチャートである。図８は、電子ブック２０から電子ペーパ４０を抜き取る様子を示す図である。ここでは図８（Ａ）に示すように、電子ペーパ４０が４枚ある場合を例にして説明する。
【００４３】
ステップＳＴ２１では、制御部３４は、着脱センサ３３の検出結果に基づいて、電子ペーパ４０のいずれかが抜き取られたか否かを検知する。そして、制御部３４は、電子ペーパ４０のいずれかが抜き取られたことを検知すると、ステップＳＴ２２に移行する。本実施形態では、図８（Ｂ）に示すように、最終ページ（第４ページの電子ペーパ４０）が抜き取られたものとする。
【００４４】
ステップＳＴ２２では、制御部３４は、抜き取られた電子ペーパ４０のページを特定する。本実施形態では、制御部３４は、抜き取られた電子ペーパ４０は第４ページであると特定して、ステップＳＴ２３に移行する。
【００４５】
ステップＳＴ２３では、制御部３４は、着脱センサ３３の検出結果に基づいて、電子ペーパ４０が挿入されたか否かを検知する。そして、制御部３４は、電子ペーパ４０が挿入されたことを検知すると、ステップＳＴ２４に移行する。
【００４６】
ステップＳＴ２４では、制御部３４は、ステップＳＴ２３で挿入された場所はトップページであるか否かを判定し、トップページであるときはステップＳＴ２８に移行し、トップページでないときはステップＳＴ２５に移行する。
【００４７】
ステップＳＴ２５では、制御部３４は、メモリ３１から画像を読み出し、トップページである電子ペーパ４０の画像の書き換えを行って、ステップＳＴ２６に移行する。
【００４８】
ステップＳＴ２６では、制御部３４は、次のページがあるか否か、つまり画像の書換対象となる電子ペーパ４０があるか否かを判定する。そして、次のページがあるときはステップＳＴ２７に移行し、次のページがないときはページの書き換えを終了する。
【００４９】
ステップＳＴ１４では、制御部３４は、次のページを書き換えて、ステップＳＴ１３に戻る。
【００５０】
したがって、制御部３４は、ステップＳＴ２３で挿入された場所がトップページでないときは、第２ページ以降の電子ペーパ４０の順番が変わっただけであるので、その順番に従って各電子ペーパ４０の画像を書き換えている。
【００５１】
ステップＳＴ２８では、制御部３４は、書込開始ページであるスタートページを設定して、ステップＳＴ２９に移行する。例えば、電子ペーパ４０に表示された画像が抜き取りによっても消去されない場合、トップページに挿入された電子ペーパ４０の画像を書き換える必要はない。この場合、制御部３４は、スタートページとして２枚目の電子ペーパ４０を設定する。一方、電子ペーパ４０に表示された画像が抜き取りによって消去される場合、トップページに挿入された電子ペーパ４０に再度画像を書き込む必要がある。この場合、制御部３４は、スタートページとしてトップページ（１枚目）の電子ペーパ４０を設定する。
【００５２】
ステップＳＴ２９では、制御部３４は、次のページがあるか否かを判定し、次のページがあるときはステップＳＴ３０に移行し、次のページがないときはページの書き換えを終了する。
【００５３】
ステップＳＴ３０では、制御部３４は、次のページを書き換えて、ステップＳＴ２９に戻る。この結果、第４ページの電子ペーパ４０が抜き取られ、かつこの電子ペーパ４０がトップページに挿入された場合、図８（Ｃ）に示すように、トップページには第４ページの画像が表示され、２枚目から４枚目の電子ペーパ４０には第５ページから第８ページの画像がそれぞれ表示される。
【００５４】
以上のように、制御部３４は、最終ページ（第４ページの電子ペーパ４０）が抜き取られた後トップページに挿入された場合には、ステップＳＴ２１からステップＳＴ２９までの処理を繰り返すことにより、２枚目以降の電子ペーパ４０に続きの画像をページ順に表示させることができる。
【００５５】
［第２の実施形態］
つぎに、本発明の第２の実施形態について説明する。なお、第１の実施形態と同一の部位には同一の符号を付し、詳細な説明は省略する。
【００５６】
第２の実施形態に係る電子ブックシステム１は、第１の実施形態と同様に、図２に示すように構成されている。
【００５７】
ここで、電子ブック２０の書込装置３０に備えられた本体接続部３２は、２つ電子ペーパ４０を見開き状態のままで保持することができるだけでなく、さらに３つの電子ペーパ４０であっても見開き状態で保持することも可能である。なお、電子ペーパ４０は、両面に表示面があるのが好ましい。
【００５８】
図９は、菱形を表した１枚の画像（以下「基準画像」という。）を示す図である。本実施形態では、基準画像が２枚の電子ペーパ４０に表示されているときに、新たに１枚の電子ペーパ４０が追加された場合について説明する。
【００５９】
（倍率変更）
図１０は、電子ペーパ４０の追加と同時に表示画像の倍率を変更するときの制御部３４の動作手順を示すフローチャートである。図１１（Ａ）は２枚の電子ペーパ４０に表示された基準画像、図１１（Ｂ）は３枚の電子ペーパ４０に表示された基準画像を示す図である。本実施形態では、図１１（Ａ）に示すように、２枚の電子ペーパ４０には基準画像全体が表示されているものとする。
【００６０】
ステップＳＴ３１では、制御部３４は、着脱センサ３３の検出結果に基づいて、電子ペーパ４０が追加されたか否かを検知する。そして、制御部３４は、電子ペーパ４０が追加されたことを検知すると、ステップＳＴ３２に移行する。
【００６１】
ステップＳＴ３２では、制御部３４は、追加された電子ペーパ４０の位置を取得して、ステップＳＴ３３に移行する。本実施形態では、図１１（Ｂ）に示すように、２枚の電子ペーパ４０の連続方向の一端側に、新たな電子ペーパ４０が追加されたものとする。
【００６２】
ステップＳＴ３３では、制御部３４は、３枚の連続する電子ペーパ４０に対して、基準画像の菱形全部が現れるような範囲内で、基準画像の倍率を拡大変更して、ステップＳＴ３４に移行する。
【００６３】
ステップＳＴ３４では、制御部３４は、拡大変更された画像データを用いて１つの電子ペーパ４０の書き換えを行って、ステップＳＴ３５に移行する。
【００６４】
ステップＳＴ３５では、制御部３４は、次の電子ペーパ４０があるか否か、すなわち書き換えられていない電子ペーパ４０があるか否かを判定する。そして、次の電子ペーパ４０（まだ書き換えられていない電子ペーパ４０）があるときはステップＳＴ３４に戻り、次の電子ペーパ４０がないときは処理を終了する。この結果、図１１（Ｂ）に示すように、３枚の連続する電子ペーパ４０には、拡大変更された基準画像が表示される。
【００６５】
以上のように、制御部３４は、連続する電子ペーパ４０に更に電子ペーパ４０を追加した場合でも、ステップＳＴ４１からステップＳＴ４５までの処理を繰り返すことにより、新たに連続する電子ペーパ４０に画像全部が現れるように画像データの倍率を変更して、各電子ペーパ４０に表示させることができる。
【００６６】
（表示範囲変更）
図１２は、電子ペーパ４０の追加と同時に表示画像の表示範囲を変更するときの制御部３４の動作手順を示すフローチャートである。図１３（Ａ）は２枚の電子ペーパ４０に表示された基準画像、図１３（Ｂ）は３枚の電子ペーパ４０に表示された基準画像を示す図である。本実施形態では、図１３（Ａ）に示すように、２枚の電子ペーパ４０には基準画像の一部（菱形の長手方向の両端部分）が欠落して表示されているものとする。
【００６７】
ステップＳＴ４１では、制御部３４は、着脱センサ３３の検出結果に基づいて、電子ペーパ４０が追加されたか否かを検知する。そして、制御部３４は、電子ペーパ４０が追加されたことを検知すると、ステップＳＴ４２に移行する。
【００６８】
ステップＳＴ４２では、制御部３４は、追加された電子ペーパ４０の位置を取得して、ステップＳＴ４３に移行する。本実施形態では、図１３（Ｂ）に示すように、２枚の電子ペーパ４０が連続する方向の一端側に、新たな電子ペーパ４０が追加されたものとする。
【００６９】
ステップＳＴ４３では、制御部３４は、３枚の連続する電子ペーパ４０に対して、菱形の表示範囲を変更して、ステップＳＴ４４に移行する。本実施形態では、画像データの倍率を変えることなく、３枚の連続する電子ペーパ４０に菱形全部が表示されるように、基準画像を横方向にスライドして表示範囲を変更している。
【００７０】
ステップＳＴ４４では、制御部３４は、表示範囲が変更された画像データを用いて１つの電子ペーパ４０の書き換えを行って、ステップＳＴ４５に移行する。そして、制御部３４は、ステップＳＴ４４及びステップＳＴ４５では、上述したステップＳＴ３４及びステップＳＴ３５と同様に処理を実行する。この結果、図１３（Ｂ）に示すように、３枚の連続する電子ペーパ４０には、表示範囲の変更された基準画像が表示される。
【００７１】
以上のように、制御部３４は、連続する電子ペーパ４０に更に電子ペーパ４０を追加した場合でも、ステップＳＴ４１からステップＳＴ４５までの処理を繰り返すことにより、新たに連続する電子ペーパ４０に画像全部が現れるように画像データの表示範囲を変更して、各電子ペーパ４０に表示させることができる。
【００７２】
なお、本実施形態では、２枚の電子ペーパ４０の連続方向の一端側に新たな電子ペーパ４０が追加された場合を例に挙げたが、２枚の電子ペーパ４０の間に新たな電子ペーパ４０を追加した場合でも同様に、制御部３４は各電子ペーパ４０の書換制御を行うことができる。また、本実施形態では、電子ペーパ４０を追加する場合を例に挙げて説明したが、電子ペーパ４０を抜き取った場合であっても、制御部３４は画像の倍率や表示範囲を変更することができる。
【００７３】
本発明は、上述した第１及び第２の実施形態に限定されるものではなく、特許請求の範囲に記載された範囲内で設計変更されたものについても適用可能であるのは勿論である。
【００７４】
例えば、ホストコンピュータ１０と電子ブック２０との通信は、有線を介してもよいし無線を介してもよい。
【００７５】
【発明の効果】
本発明に係る表示制御装置、画像表示装置及び画像表示システムによれば、表示媒体の少なくとも１つと接続手段との接続状態の変化が検出されたときに、検出された接続状態に応じて、接続手段に接続されている表示媒体に表示された画像の少なくとも一部の書き換えを制御することにより、任意の表示媒体が着脱された場合でも、装着されている表示媒体に最適な画像を表示させることができる。
【図面の簡単な説明】
【図１】本発明の第１の実施形態に係る電子ブックシステムを示す図である。
【図２】電子ブックシステムの機能的な構成を示すブロック図である。
【図３】電子ペーパを抜き取ったときの書込装置の制御部の動作手順を示すフローチャートである。
【図４】電子ブックから電子ペーパを抜き取る様子を示す図である。
【図５】新たに電子ペーパを挿入する際の書込装置の制御部の動作手順を示すフローチャートである。
【図６】電子ブックに電子ペーパを挿入する様子を示す図である。
【図７】電子ペーパを任意の位置に入れ替える際の書込装置の制御部の動作手順を示すフローチャートである。
【図８】電子ブックから電子ペーパを抜き取る様子を示す図である。
【図９】菱形を表した１枚の画像を示す図である。
【図１０】電子ペーパの追加と同時に表示画像の倍率を変更するときの制御部の動作手順を示すフローチャートである。
【図１１】（Ａ）は２枚の電子ペーパに表示された基準画像、（Ｂ）は３枚の電子ペーパに表示された基準画像を示す図である。
【図１２】電子ペーパの追加と同時に表示画像の表示範囲を変更するときの制御部３４の動作手順を示すフローチャートである。
【図１３】（Ａ）は２枚の電子ペーパ４０に表示された基準画像、（Ｂ）は３枚の電子ペーパに表示された基準画像を示す図である。
【符号の説明】
１  電子ブックシステム
１０  ホストコンピュータ
２０  電子ブック
３０  書込装置
３１  メモリ
３２  本体接続部
３３  着脱センサ
３４  制御部
４０  電子ペーパ
４１  表示部
４２  ドライバ
【図１】
2004240238.tif 000003
【図２】
2004240238.tif 000004
【図３】
2004240238.tif 000005
【図４】
2004240238.tif 000006
【図５】
2004240238.tif 000007
【図６】
2004240238.tif 000008
【図７】
2004240238.tif 000009
【図８】
2004240238.tif 000010
【図９】
2004240238.tif 000011
【図１０】
2004240238.tif 000012
【図１１】
2004240238.tif 000013
【図１２】
2004240238.tif 000014
【図１３】
2004240238.tif 000015